(57)【要約】【課題】外部アンプを接続した場合において、装置本体に発生する無駄な消費電流及び内部温度の上昇を防止できるとともに、高い音質の音を発生することができるような音響装置を提供する。【解決手段】装置本体１０内に設けられ、オーディオ信号を増幅して出力する内蔵アンプ１２と、オーディオ信号を増幅するための外部アンプ２０装置本体１０に接続するコネクタ１７と、外部アンプ２０の接続状態を検出する外部アンプ検出用回路１４と、外部アンプ２０の接続が検出された場合には、内蔵アンプ１２の動作を停止させるマイコン１３とを有する。【選択図】　図１
2004120413.tif 000002
【特許請求の範囲】
【請求項１】
装置本体内に設けられ、オーディオ信号を増幅して出力する第１の増幅手段と、
前記オーディオ信号を増幅するための第２の増幅手段を前記装置本体に接続する接続手段と、
前記第２の増幅手段の接続状態を検出する接続検出手段と、
前記接続検出手段により前記第２の増幅手段の接続が検出された場合には、前記第１の増幅手段の動作を停止させる制御手段と、
を有することを特徴とする音響装置。
【請求項２】
前記接続検出手段は、前記第２の増幅手段を起動するための信号電圧の検出に基づき、前記第２の増幅手段の接続状態を検出することを特徴とする請求項１記載の音響装置。
【請求項３】
前記接続検出手段は、前記第２の増幅手段への電源電圧の検出に基づき、前記第２の増幅手段の接続状態を検出することを特徴とする請求項１記載の音響装置。
【請求項４】
装置本体内に設けられ、オーディオ信号を増幅して出力する第１の増幅手段と、
前記オーディオ信号を増幅するための第２の増幅手段を前記装置本体に接続する接続手段と、
前記第２の増幅手段の接続状態を検出する接続検出手段と、
前記第１の増幅手段の動作停止を設定する設定手段と、
前記接続検出手段により前記第２の増幅手段が接続されていないことが検出された場合には、前記設定手段による前記第１の増幅手段の動作停止の設定を禁止する制御手段と、
を有することを特徴とする音響装置。
【発明の詳細な説明】
【０００１】
【発明の属する技術分野】
本発明は、オーディオ信号を増幅して出力する音響装置に関する。
【０００２】
【従来の技術】
従来の音響装置の中には、オーディオ信号を増幅してスピーカに出力する内蔵アンプを備えているとともに、この内蔵アンプよりも大きい電力増幅が可能な外部アンプを本体に接続して、増幅したオーディオ信号を大型のスピーカに出力し、内蔵アンプよりも大きな音量で豊かな音を発生できるものがある。
【０００３】
【発明が解決しようとする課題】
しかしながら、上記従来の音響装置においては、外部アンプを接続した場合でも、内蔵アンプに対して電源電圧が供給されており、バイアス電流及び入力されるオーディオ信号の増幅動作のための電流は、外部アンプが接続されていない状態と同様に流れている。このため、無駄な消費電流が流れるとともに、その消費電流によって装置本体の内部温度が上昇するという問題点があった。また、音質的にもよくない傾向があった。
【０００４】
なお、このような従来の音響装置の構成は、極めて一般的なものであり、かかる構成を記載した文献も膨大な数に昇り、最も適切な先行技術文献として具体的なものを開示することは極めて困難である。したがって、上記したような当業者の間ですでに周知となっている一般の音響装置の構成を従来の技術の一例とする。
【０００５】
本発明は上記問題点に鑑みてなされたものであり、その目的とするところは、外部アンプを接続した場合において、装置本体に発生する無駄な消費電流及び内部温度の上昇を防止できるとともに、高い音質の音を発生することができるような音響装置を提供することにある。
【０００６】
【課題を解決するための手段】
上記目的を達成するために本発明の音響装置は、装置本体内に設けられ、オーディオ信号を増幅して出力する第１の増幅手段と、前記オーディオ信号を増幅するための第２の増幅手段を前記装置本体に接続する接続手段と、前記第２の増幅手段の接続状態を検出する接続検出手段と、前記接続検出手段により前記第２の増幅手段の接続が検出された場合には、前記第１の増幅手段の動作を停止させる制御手段とを有するようにした。
【０００７】
従って、本発明の音響装置によれば、第２の増幅手段を接続した場合には、装置本体内の第１の増幅手段の動作を停止させるので、装置本体において第１の増幅手段により発生する無駄な消費電流及び内部温度の上昇を防止できるとともに、高い音質の音を発生することができる。
【０００８】
本発明の音響装置は、前記接続検出手段が、前記第２の増幅手段を起動するための信号電圧の検出に基づき、前記第２の増幅手段の接続状態を検出するようにした。
【０００９】
従って、本発明の音響装置によれば、第２の増幅手段の接続を確実に検出して、装置本体において第１の増幅手段により発生する無駄な消費電流及び内部温度の上昇を防止できるとともに、高い音質の音を発生することができる。
【００１０】
本発明の音響装置は、前記接続検出手段が、前記第２の増幅手段への電源電圧の検出に基づき、前記第２の増幅手段の接続状態を検出するようにした。
【００１１】
従って、本発明の音響装置によれば、第２の増幅手段の接続を自動的に検出して、装置本体において第１の増幅手段により発生する無駄な消費電流及び内部温度の上昇を防止できるとともに、高い音質の音を発生することができる。
【００１２】
本発明の音響装置は、装置本体内に設けられ、オーディオ信号を増幅して出力する第１の増幅手段と、前記オーディオ信号を増幅するための第２の増幅手段を前記装置本体に接続する接続手段と、前記第２の増幅手段の接続状態を検出する接続検出手段と、前記第１の増幅手段の動作停止を設定する設定手段と、前記接続検出手段により前記第２の増幅手段が接続されていないことが検出された場合には、前記設定手段による前記第１の増幅手段の動作停止の設定を禁止する制御手段とを有するようにした。
【００１３】
従って、本発明の音響装置によれば、第２の増幅手段が接続されている場合には第１の増幅手段の動作停止を可能にし、第２の増幅手段が接続されていない場合には第１の増幅手段の動作停止を禁止するので、誤って第１の増幅手段の動作停止が設定されるのを防止することができる。
【００１４】
【発明の実施の形態】
以下、図面に基づいて本発明の音響装置の実施の形態を説明する。図１は本実施の形態である車載用の音響装置のシステム構成を示すブロック図である。装置本体１０は、ＣＤやＭＤなどの記録媒体を再生してオーディオ信号を発生する音源１１、この音源１１に接続された内蔵アンプ１２（第１の増幅手段に相当する）、装置本体１０を制御するマイコン１３（制御手段、設定手段に相当する）、外部アンプ検出用回路１４（接続検出手段に相当する）、１２Ｖのバッテリ電源の入力によって、必要な電源電圧を発生する電源１５、電源１５から内蔵アンプ１２に供給する電源電圧をマイコン１３の制御でオン又はオフするスイッチ１６、外部アンプを接続するためのコネクタ１７（接続手段に相当する）、内蔵アンプ１２に小型のスピーカ１９を接続するコネクタ１８で構成されている。
【００１５】
図２は、図１の外部アンプ検出用回路１４の回路図である。外部アンプ検出用回路１４は、図１のバッテリ電源から外部アンプ２０に供給する１２Ｖの電源電圧のラインに直列に挿入された抵抗Ｒ１、オペアンプＯＰ１、抵抗Ｒ１の両端であるＡ点及びＢ点とオペアンプＯＰ１のマイナス入力及びプラス入力とをそれぞれ接続する抵抗Ｒ２及びＲ３、ベースがオペアンプＯＰ１の出力に接続されエミッタが接地されたトランジスタＴＲ１、トランジスタＴＲ１のコレクタと電源１５からの５Ｖの電源電圧とに接続された抵抗Ｒ４で構成されている。なお、トランジスタＴＲ１のコレクタは図１のマイコン１３に接続されている。
【００１６】
次に、この音響装置の動作について説明する。まず、外部アンプ２０が装置本体１０に接続されていない状態を想定する。この場合には、図２の外部アンプ検出用回路１４において、１２Ｖの電源電圧のラインに直列に挿入された抵抗Ｒ１には電流が流れていない。したがって、抵抗Ｒ１の両端であるＡ点及びＢ点の電圧はともに１２Ｖになっている。その結果、オペアンプＯＰ１のマイナス入力及びプラス入力の差電圧が０Ｖとなり、オペアンプＯＰ１の出力も０Ｖになっている。このため、トランジスタＴＲ１はオフ状態であり、そのコレクタは５Ｖすなわちハイレベルの状態になっている。したがって、外部アンプ検出用回路１４からマイコン１３にハイレベルの検出信号が送出される。
【００１７】
マイコン１３は、このハイレベルの検出信号によって、外部アンプ２０が接続されていないことを認識する。そして、スイッチ１６をオンにするように制御して、電源１５から必要な電源電圧を内蔵アンプ１２に供給させる。同時に、内蔵アンプ１２に対して増幅動作を可能にするアンプオン信号を送出する。この結果、音源１１によって発生されたオーディオ信号は、内蔵アンプ１２によって増幅されてスピーカ１９に出力され、スピーカ１９によって再生音が発生する。
【００１８】
一方、図１に示すように、外部アンプ２０（第２の増幅手段に相当する）がコネクタ１７によって装置本体１０に接続された状態を想定する。この場合には、コネクタ１７の接続端子１７ａを介して、装置本体１０の音源１１からオーディオ信号が入力され、コネクタ１７の接続端子１７ｂを介して、装置本体１０の外部アンプ検出用回路１４から１２Ｖの電源電圧が供給される。なお、外部アンプ２０の出力には大型のスピーカ３０が接続されている。
【００１９】
この場合には、図２の外部アンプ検出用回路１４において、１２Ｖの電源電圧のラインに直列に挿入された抵抗Ｒ１に電流が流れる。したがって、抵抗Ｒ１の両端であるＢ点の電圧は電圧降下によってＡ点の電圧より低くなる。その結果、オペアンプＯＰ１のプラス入力の電圧がマイナス入力の電圧より高くなり、オペアンプＯＰ１の出力が１２Ｖになる。このため、トランジスタＴＲ１はオン状態になり、そのコレクタは０Ｖすなわちローレベルの状態になる。したがって、外部アンプ検出用回路１４からマイコン１３にローレベルの検出信号が送出される。
【００２０】
マイコン１３は、このローレベルの検出信号によって、外部アンプ２０が接続されたことを認識する。そして、スイッチ１６をオフにするように制御して、電源１５から内蔵アンプ１２への電源電圧供給を停止させる。この電源電圧の供給停止と同時に、又はこの電源電圧の供給停止の代わりに、内蔵アンプ１２に対して増幅動作を行わせるためのアンプオン信号の送出を停止する。この結果、音源１１によって発生されたオーディオ信号は、内蔵アンプ１２では増幅されず、外部アンプ２０によって増幅されてスピーカ３０に出力され、スピーカ３０によって再生音が発生する。
【００２１】
なお、上記実施の形態においては、外部アンプ２０に対する１２Ｖの電源電圧を装置本体１０から供給するような構成にしたが、１２Ｖのバッテリ電源を外部アンプ２０に直接に接続する構成にしてもよい。この場合には、装置本体１０と外部アンプ２０とを接続するコネクタ１７に、その１２Ｖの電圧を検出するための接続端子を設けて、外部アンプ検出用回路１４によって外部アンプ２０の接続状態を検出させる。
【００２２】
また、上記実施の形態の変形例として、外部アンプ２０から装置本体１０に対して接続確認信号を送信して、装置本体１０が接続の有無を認識するような構成にしてもよい。
【００２３】
また、上記実施の形態の他の変形例として、内蔵アンプ１２を使用するか否かをユーザによって設定できるような構成にしてもよい。例えば、マイコン１３の制御プログラムにユーザ選択モジュールを組み込んで、キースイッチ及び表示器（図示せず）を用いて、内蔵アンプ１２を使用するか否かをユーザが選択できるようにする。この場合において、マイコン１３は、外部アンプ２０が接続されていないことが検出された場合には、内蔵アンプ１２の動作停止の設定を禁止する。
【００２４】
本実施の形態によれば、外部アンプ２０を接続した場合には、装置本体１０内の内蔵アンプ１２の動作を停止させるので、装置本体１０において内蔵アンプ１２により発生する無駄な消費電流及び内部温度の上昇を防止できるとともに、高い音質の音を発生することができる。
【００２５】
また、本発明の実施の形態によれば、外部アンプ２０の接続を確実に検出して、装置本体１０において内蔵アンプ１２により発生する無駄な消費電流及び内部温度の上昇を防止できるとともに、高い音質の音を発生することができる。
【００２６】
また、本発明の実施の形態によれば、外部アンプ２０の接続を自動的に検出して、装置本体１０において内蔵アンプ１２により発生する無駄な消費電流及び内部温度の上昇を防止できるとともに、高い音質の音を発生することができる。
【００２７】
また、本発明の実施の形態によれば、外部アンプ２０が接続されている場合には内蔵アンプ１２の動作停止を可能にし、外部アンプ２０が接続されていない場合には内蔵アンプ１２の動作停止を禁止するので、誤って内蔵アンプ１２の動作停止が設定されるのを防止することができる。
【００２８】
【発明の効果】
上記のように構成された本発明の装置によれば、第２の増幅手段を接続した場合において、装置本体において第１の増幅手段により発生する無駄な消費電流及び内部温度の上昇を防止できるとともに、高い音質の音を発生できる。
【図面の簡単な説明】
【図１】本発明の実施の形態における音響装置のシステム構成を示すブロック図である。
【図２】図１における外部アンプ検出用回路の回路図である。
【符号の説明】
１０　装置本体
１２　内蔵アンプ（第１の増幅手段）
１３　マイコン（制御手段、設定手段）
１４　外部アンプ検出用回路（接続検出手段）
１７　コネクタ（接続手段）
２０　外部アンプ（第２の増幅手段）
【図１】
2004120413.tif 000003
【図２】
2004120413.tif 000004